(57)【要約】【課題】テーブルを少ない移動スペースで天板面の起立角度を変える態様で展開収納させられるようにする。【解決手段】テーブル本体１１を支持台４に対して動かせる状態に連結するテーブル移動装置１０Ｍは、テーブル本体１１を支持台４に対して回転軸１２Ａにより回転可能に連結し、テーブル本体１１を支持台４内部の収納位置と支持台４からシート内側上方に引き上げた展開位置との間で回転移動させるようになっている。回転軸１２Ａは、その軸方向が収納位置におけるテーブル本体１１の天板面の面外方向から外側に傾けられた斜めの角度に向けられた状態として、テーブル本体１１を収納位置と展開位置との間で天板面の傾きを変化させる態様で回転移動させるようになっている。【選択図】図８
2015214240.tif 000002
【特許請求の範囲】
【請求項１】
乗物用テーブルであって、
物載せとなるテーブル本体と、
該テーブル本体をベースに対して動かせる状態に連結するテーブル移動装置と、を有し、
前記テーブル移動装置は、前記テーブル本体を前記ベースに対して回転軸により回転可能に連結し、前記テーブル本体を所定の収納位置と展開位置との間で回転移動させるようになっており、
前記回転軸は、その軸方向が前記収納位置における前記テーブル本体の天板面の面外方向からいずれかの方向に直角より小さく傾けられた斜めの角度に向けられた状態として、前記テーブル本体を前記収納位置と前記展開位置との間で前記天板面の傾きを変化させる態様で回転移動させるようになっていることを特徴とする乗物用テーブル。
【請求項２】
請求項１に記載の乗物用テーブルであって、
前記ベースが乗物用シートの側部箇所に設定され、前記テーブル本体が前記ベース内に外側下がりに傾斜した姿勢状態で収納され、該収納位置からシート幅方向の内側に斜め上がりに展開される構成とされており、
前記回転軸が前記収納位置における前記テーブル本体の天板面の面外方向より外側へ傾斜した向きに設定されていることを特徴とする乗物用テーブル。
【請求項３】
請求項２に記載の乗物用テーブルであって、
前記テーブル移動装置は、前記ベースに連結された支持アームを介して前記テーブル本体を前記ベースに連結しており、
前記支持アームは、前記テーブル本体が前記ベース内に収納された状態では前記テーブル本体の後側領域に位置して前記回転軸により前記ベースに連結された状態とされ、前記回転軸が前側傾斜の向きに設定されていることを特徴とする乗物用テーブル。
【発明の詳細な説明】
【技術分野】
【０００１】
本発明は、乗物用テーブルに関する。詳しくは、乗物用シートの着座者に供される乗物用テーブルに関する。
【背景技術】
【０００２】
従来、乗物用シートにおいて、物載せとなるテーブルが展開・収納可能に設けられた技術が知られている（特許文献１）。上記テーブルは、乗物用シートの側部のアームレストに対して回転可能に連結されており、着座者の前部に展開された使用位置と、同使用位置から横向きに跳ね上げてアームレストの外側面に重なる位置まで落とし込まれた収納位置と、の間で展開・収納できるようになっている。
【先行技術文献】
【特許文献】
【０００３】
【特許文献１】特開平９−７０３３４号公報
【発明の概要】
【発明が解決しようとする課題】
【０００４】
上記従来技術では、テーブルを水平方向に嵩張らせない向きに変えて収納するためにテーブルを天板面の面外方向に大きく回転させて移動させる構成となっており、移動スペースの嵩張る構成となっている。本発明は、上述した問題を解決するものとして創案されたものであって、本発明が解決しようとする課題は、テーブルを少ない移動スペースで天板面の起立角度を変える態様で展開収納させられるようにすることにある。
【課題を解決するための手段】
【０００５】
上記課題を解決するために、本発明の乗物用テーブルは次の手段をとる。
【０００６】
第１の発明は、乗物用テーブルであって、物載せとなるテーブル本体と、テーブル本体をベースに対して動かせる状態に連結するテーブル移動装置と、を有する。テーブル移動装置は、テーブル本体をベースに対して回転軸により回転可能に連結し、テーブル本体を所定の収納位置と展開位置との間で回転移動させるようになっている。回転軸は、その軸方向が収納位置におけるテーブル本体の天板面の面外方向からいずれかの方向に直角より小さく傾けられた斜めの角度に向けられた状態として、テーブル本体を収納位置と展開位置との間で天板面の傾きを変化させる態様で回転移動させるようになっている。
【０００７】
この第１の発明によれば、テーブル本体が１本の回転軸まわりの回転で移動される構成であっても、テーブル本体を少ない移動スペースで天板面の起立角度を変える態様で展開・収納させることができる。
【０００８】
第２の発明は、上述した第１の発明において、次の構成とされているものである。ベースが乗物用シートの側部箇所に設定されている。テーブル本体がベース内に外側下がりに傾斜した姿勢状態で収納され、収納位置からシート幅方向の内側に斜め上がりに展開される構成とされている。回転軸が、収納位置におけるテーブル本体の天板面の面外方向より外側へ傾斜した向きに設定されている。
【０００９】
この第２の発明によれば、テーブル本体を収納位置でシート幅方向にコンパクトな状態に収納しつつ、展開位置に向けて高い位置へと展開させることができる。
【００１０】
第３の発明は、上述した第２の発明において、次の構成とされているものである。テーブル移動装置は、ベースに連結された支持アームを介してテーブル本体をベースに連結している。支持アームは、テーブル本体がベース内に収納された状態では、テーブル本体の後側に位置して回転軸によりベースに連結された状態とされるようになっている。回転軸は、前側傾斜の向きに設定されている。
【００１１】
この第３の発明によれば、回転軸が外側傾斜の向きとされている場合に、テーブル本体が前上がりの傾斜姿勢で展開されてしまうことを抑えることができ、テーブル本体を展開位置に向けて適切に前後方向に真っ直ぐに面を延ばす形に展開させることができる。
【図面の簡単な説明】
【００１２】
【図１】実施例１のテーブルが使用位置に展開された状態を示す斜視図である。
【図２】同正面図である。
【図３】同平面図である。
【図４】テーブルの収納状態を示す斜視図である。
【図５】同正面図である。
【図６】同側面図である。
【図７】同平面図である。
【図８】テーブルが斜めの展開位置まで引き出された状態を示す斜視図である。
【図９】同正面図である。
【発明を実施するための形態】
【００１３】
以下に、本発明を実施するための形態について、図面を用いて説明する。
【実施例１】
【００１４】
始めに、実施例１のテーブル１０の構成について、図１〜図９を用いて説明する。本実施例のテーブル１０は、図１〜図７に示すように、自動車のシート１に展開・収納可能に備えられた構成となっている。ここで、上記シート１は、着座者の背凭れとなるシートバック２と、着座部となるシートクッション３と、を有し、シートクッション３の左右両側部に上方側に立壁上に延びる支持台４を備えた構成となっている。上記各支持台４は、その上面部がアームレスト５となっており、着座者が肘掛けとして利用することができるようになっている。
【００１５】
上述したテーブル１０は、物載せとなるテーブル本体１１と、テーブル本体１１を上述したシート１の左側部に設けられた支持台４に対して動かせる状態に連結するテーブル移動装置１０Ｍと、を備えた構成となっている。ここで、上記シート１の左側部に設けられた支持台４が本発明の「ベース」に相当する。具体的には、上述したテーブル移動装置１０Ｍは、テーブル本体１１を、支持台４の内部に収納した収納位置（図４〜図７に示す位置）と、着座者の前部に水平姿勢の状態に展開させた使用位置（図１〜図３に示す位置）と、の間で移動させることができるようになっている。
【００１６】
上述したテーブル移動装置１０Ｍは、図１〜図３に示すように、テーブル本体１１を支持台４に対して支持する支持アーム１２と、支持アーム１２を支持台４に対して前後方向にスライドさせられる状態に連結するスライダ１３と、を有する。上述したスライダ１３は、図２及び図６〜図７に示すように、支持台４の内部に設けられたガイドレール４Ａに対して前後方向にのみ移動可能となるように組み付けられた状態とされている。
【００１７】
具体的には、上述したスライダ１３は、その下部に延び出す嵌合部１３Ａが、支持台４の内部に設けられた前後方向に延びる平板状のガイドレール４Ａのレール溝４Ａ１内に嵌め込まれていることにより、レール溝４Ａ１の形状に沿って前後方向にのみ移動可能となるようにガイドされて組み付けられた状態とされている。上述したガイドレール４Ａは、詳しくは、図２及び図５〜図６に示すように、その平板形状が、シート上方側から外側に斜めに面を傾けた角度姿勢で設けられた状態とされている。このような構成となっていることにより、スライダ１３は、上述したガイドレール４Ａの傾斜した面形状に沿って、シート外側に斜めに傾けた姿勢状態で前後方向にスライドするようになっている。
【００１８】
支持アーム１２は、図１〜図３に示すように、テーブル本体１１より前後方向の板幅の狭い板状の部材によって構成されており、その下端部が、上述したスライダ１３の上部に回転軸１２Ａにより回転可能に連結された状態とされている。これにより、支持アーム１２は、図４〜図７に示すように、上述したスライダ１３に対して、上述した回転軸１２Ａを中心に、支持台４の内部で前方側に延びる向きとされた退避位置と、図８〜図９に示すように、支持台４のシート内側の側面部に形成された開口部４Ｂからシート内側に張り出す向きとされた展開位置と、の間で、回転することができる構成とされている。
【００１９】
上述した支持アーム１２は、詳しくは、上述したガイドレール４Ａに外斜めの角度姿勢で取り付けられたスライダ１３の上部に連結されていることにより、その退避位置（図４〜図７参照）から展開位置（図８〜図９参照）への回転移動に伴って、シート内側上方に斜めの角度姿勢で張り出す形に展開されるようになっている。より詳しくは、上記支持アーム１２は、その中間部が屈曲した板形状とされており、屈曲した根元側の片１２Ｄが同片に面外方向に垂直に立てられた回転軸１２Ａによってスライダ１３の上部に回転可能に連結された構成となっている（図２、図６及び図８参照）。
【００２０】
上記回転軸１２Ａは、図５に示すように、上述したスライダ１３がガイドレール４Ａ上に外斜めの角度姿勢で取り付けられた鉛直方向Ｖｅからの傾斜角度Ｉｎよりも更に外側に傾けられた傾斜角度Ａ１でスライダ１３に取り付けられた状態とされている。かつ、上記回転軸１２Ａは、図６に示すように、上記スライダ１３に対して、鉛直方向Ｖｅから前側にも傾けられた傾斜角度Ａ２で取り付けられた状態とされている。
【００２１】
このような構成となっていることにより、支持アーム１２は、図５〜図６に示すように、その支持台４の内部で前方側に延びる向きとされた退避位置の状態では、下記の姿勢でスライダ１３上に支えられた状態とされるようになっている。すなわち、支持アーム１２は、全体がシート外側に傾斜した姿勢となって、その屈曲した中間部から根元側の片１２Ｄが後上がりに傾斜し、かつ、屈曲した中間部より先側の片１２Ｃがスライダ１３のスライド方向となる前後方向に真っ直ぐに面を延ばす姿勢となって、スライダ１３上に支えられた状態とされるようになっている。
【００２２】
また、支持アーム１２は、上記支持台４の内部位置（退避位置）から、上記回転軸１２Ａを中心に支持台４のシート内側に張り出す展開位置まで回されることにより、図９に示すように、その屈曲した中間部より先側の片１２Ｃが、根元側の片１２Ｄより上方側に折れ曲がって持ち上げられる形で、アームレスト５より高い位置まで起こし上げられるようになっている。このように、支持アーム１２は、上記斜めの角度に傾斜して設けられた回転軸１２Ａによってスライダ１３上に連結されていることにより、図６において前述したように、その屈曲した先側の片１２Ｃが支持台４の内部においてスライド方向に真っ直ぐに面を延ばす形に収納された状態とされていても、図９にて前述したように、その先側の片１２Ｃを展開回転によって高い位置まで持ち上げるように移動させることができるようになっている。
【００２３】
テーブル本体１１は、図１〜図３に示すように、平板状の部材によって構成されており、その裏面側の中間部に、上述した支持アーム１２の先側の片１２Ｃの上端部が回転軸１２Ｂによって回転可能に連結された状態とされている。これにより、テーブル本体１１は、上述した支持アーム１２の先端部に対して回転軸１２Ｂを中心に首振り運動することができる状態とされている。具体的には、上述したテーブル本体１１は、図８〜図９に示すように、上述した支持アーム１２が支持台４の内部からシート内側上方に斜めに引き出された展開状態において、支持アーム１２の上に形状を重ねた斜めの傾斜位置と、図１〜図３に示すように、上記傾斜位置から水平角度まで落とし込まれた使用位置と、の間で、支持アーム１２に対して高さ方向に首振り運動（起倒回転）することができる状態とされている。
【００２４】
上述したテーブル本体１１は、図８〜図９に示すように、上述した支持アーム１２の上に形状を重ねた状態で、図４〜図７に示すように、支持アーム１２と共にスライダ１３を後方移動させながら支持台４の内部に押し込まれて収納されたり、上記収納状態から図８〜図９に示すように支持アーム１２と共にスライダ１３を前方移動させながら支持台４のシート内側上方に斜めに引き出されたりするようになっている。上記テーブル本体１１は、上述した支持アーム１２に対して、支持アーム１２とスライダ１３とを連結する回転軸１２Ａを中心とした旋回方向の回転に対しては、支持アーム１２と一体的となって回転するようになっている。そのため、テーブル本体１１は、支持アーム１２が支持台４の内部に収納された状態では、上述したように支持アーム１２の先側の片１２Ｃが前後方向に真っ直ぐに面を延ばす態様で収納される形に合わせて、前後方向に真っ直ぐに面を延ばす形となって収納されるようになっている。
【００２５】
詳しくは、上記テーブル本体１１は、上述した支持アーム１２の先側の片１２Ｃが支持台４の内部でシート外側に傾斜した姿勢で収納される形に合わせて、シート外側に傾斜した姿勢で収納されるようになっている。これにより、テーブル本体１１が支持台４の内部においてシート幅方向に嵩張らない形に傾けられた状態として収納されるようになっている。そして、上記テーブル本体１１は、図８〜図９に示すように、上述した支持アーム１２と共に支持台４からシート内側上方に斜めに張り出す位置まで展開されることにより、上述したように支持アーム１２の先側の片１２Ｃが斜めの回転軸１２Ｂまわりの回転によって高い位置まで持ち上げられることに伴って、アームレスト５よりも高い位置まで持ち上げられるようになっている。
【００２６】
このとき、上記テーブル本体１１は、上述した斜めの回転軸１２Ａが前側にも傾いた角度（傾斜角度Ａ２）で設けられた構成となっていることにより、回転軸１２Ａが収納状態におけるテーブル本体１１の天板面に垂直な角度より外側に傾斜した角度に設定されていても、テーブル本体１１が展開位置まで引き出される移動に伴って、テーブル本体１１の天板面が前上がり状に向きを変えていくことがないように展開されるようになっており、前後方向に真っ直ぐに面を延した角度姿勢に展開されるようになっている。そして、上記テーブル本体１１は、上記支持台４からシート内側上方に斜めに張り出す展開位置に展開されることにより、自重によって支持アーム１２との回転軸１２Ｂを中心に水平角度まで落とし込まれて係止された状態となる（図１〜図３参照）。
【００２７】
ここで、上記テーブル本体１１と支持アーム１２とを連結する回転軸１２Ｂは、テーブル本体１１の横幅方向（回転半径方向）の中央部よりシート外側寄りの位置に設定されている。このように設定されていることにより、テーブル本体１１は、上記支持アーム１２と共に図８〜図９に示す斜めの角度姿勢まで展開されることにより、自重によって自然と水平姿勢の使用位置まで落とし込まれるようになっている。また、上記設定により、テーブル本体１１は、上記水平姿勢の使用位置に落とし込まれた状態においても、その自重作用によって、上述した傾斜位置へ跳ね上げられにくい状態に保たれやすい構成とされている。上述したテーブル本体１１は、上記水平姿勢の使用位置の状態まで落とし込まれることにより、支持アーム１２の先端部に形成された係止部１２Ｅがテーブル本体１１の底部に当たって、その落とし込み方向の回転が係止されるようになっている。
【００２８】
以上をまとめると、本実施例のテーブル１０は次のような構成となっている。すなわち、本実施例のテーブル１０は、物載せとなるテーブル本体１１と、テーブル本体１１をベース（支持台４）に対して動かせる状態に連結するテーブル移動装置１０Ｍと、を有する。テーブル移動装置１０Ｍは、テーブル本体１１をベース（支持台４）に対して回転軸１２Ａにより回転可能に連結し、テーブル本体１１を所定の収納位置と展開位置との間で回転移動させるようになっている。回転軸１２Ａは、その軸方向が収納位置におけるテーブル本体１１の天板面の面外方向からいずれかの方向（シート外側）に直角より小さく傾けられた斜めの角度に向けられた状態として、テーブル本体１１を収納位置と展開位置との間で天板面の傾きを変化させる態様で回転移動させるようになっている。
【００２９】
このような構成となっていることにより、テーブル本体１１が１本の回転軸１２Ａまわりの回転で移動される構成であっても、テーブル本体１１を少ない移動スペースで天板面の起立角度を変える態様で展開・収納させることができる。
【００３０】
また、上記テーブル本体１１がベース（支持台４）内に外側下がりに傾斜した姿勢状態で収納され、収納位置からシート幅方向の内側に斜め上がりに展開される構成とされている。回転軸１２Ａが、収納位置におけるテーブル本体１１の天板面の面外方向より外側へ傾斜した向きに設定されている。このような構成となっていることにより、テーブル本体１１を収納位置では外側に傾けたシート幅方向にコンパクトな状態に収納しつつ、展開位置に向けて高い位置へと展開させることができる。
【００３１】
また、テーブル移動装置１０Ｍは、ベース（支持台４）に連結された支持アーム１２を介してテーブル本体１１をベース（支持台４）に連結している。支持アーム１２は、テーブル本体１１がベース（支持台４）内に収納された状態では、テーブル本体１１の後側に位置して回転軸１２Ａによりベース（支持台４（スライダ１３））に連結された状態とされるようになっている。回転軸１２Ａは、前側傾斜の向きに設定されている。このような構成となっていることにより、回転軸１２Ａが収納状態におけるテーブル本体１１の天板面に垂直な角度に対して外側に傾斜した角度に設定されていても、テーブル本体１１が前上がりの傾斜姿勢で展開されてしまうことを抑えることができ、テーブル本体１１を展開位置に向けて適切に前後方向に真っ直ぐに面を延ばす形に展開させることができる。
【００３２】
以上、本発明の実施形態を１つの実施例を用いて説明したが、本発明は上記実施例のほか各種の形態で実施することができるものである。
【００３３】
例えば、テーブル本体は、ベースに対して、斜めに設定される回転軸の回転のみによって収納位置から物載せとして使用可能な水平姿勢の使用位置（展開位置）に展開されるようになっているものであってもよい。具体的には、例えば、テーブル本体がベースに対してシート幅方向の内外いずれかの方向に傾いた姿勢で収納されている状態から、この収納状態のテーブル本体の天板面の面外方向より緩やかな傾斜向きに設けられた回転軸まわりの回転によって、展開位置に水平姿勢の角度状態に展開されるようにした構成が挙げられる。このような構成とすることにより、テーブル本体をベースに対して斜めに傾けたコンパクトな姿勢で収納できる構成でありながら、テーブル本体を回転軸まわりの回転によって水平姿勢の状態に展開させることができる。なお、その際には、テーブル本体が展開位置への回転によって前上がり或いは後上がりの傾斜姿勢で展開されてしまうことを抑えるために、回転軸を前方或いは後方に傾けて設定するとよい。
【００３４】
また、上記実施例では、回転軸がテーブル本体の後側の領域に設定されたものを例示したが、回転軸はテーブル本体の前側の領域に設定されていてもよい。また、テーブル移動装置は、上記斜めの回転軸を含んでテーブル本体を所定の位置間で動かせる構成となっているものであればよく、その移動態様は上記実施例で示した態様に限定されず、種々の態様での実施が可能である。例えば、テーブル移動装置は、テーブル本体をベースに対して横に跳ね上げて落とし込んで収納するものや、テーブル本体をベースに対して前方外側へ旋回させて落とし込んで収納するものなどであってもよい。
【符号の説明】
【００３５】
１      シート
２      シートバック
３      シートクッション
４      支持台（ベース）
４Ａ    ガイドレール
４Ａ１  レール溝
４Ｂ    開口部
５      アームレスト
１０    テーブル
１０Ｍ  テーブル移動装置
１１    テーブル本体
１２    支持アーム
１２Ａ  回転軸
１２Ｂ  回転軸
１２Ｃ  先側の片
１２Ｄ  根元側の片
１２Ｅ  係止部
１３    スライダ
１３Ａ  嵌合部
Ａ１    傾斜角度
Ａ２    傾斜角度
Ｉｎ    傾斜角度
Ｖｅ    鉛直方向
【図１】
2015214240.tif 000003
【図２】
2015214240.tif 000004
【図３】
2015214240.tif 000005
【図４】
2015214240.tif 000006
【図５】
2015214240.tif 000007
【図６】
2015214240.tif 000008
【図７】
2015214240.tif 000009
【図８】
2015214240.tif 000010
【図９】
2015214240.tif 000011